【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
被写体を載置した状態で回転させる回転台と、
前記被写体を撮影するカメラに対して回転台の奥方に設けられる背面材とを備えてなり、
当該背面材を前記カメラ側に向かうように湾曲させたことを特徴とする撮影装置。
【請求項２】
前記背面材を、光透過性を有する粗面材で構成した請求項１に記載の撮影装置。
【請求項３】
前記回転台を、光透過性を有する粗面材で構成した請求項１に記載の撮影装置。
【手続補正２】
【補正対象書類名】明細書
【補正対象項目名】全文
【補正方法】変更
【補正の内容】
【発明の詳細な説明】
【発明の名称】撮影装置
【技術分野】
【０００１】
本発明は、商品を回転台に載せて回転させながら任意の角度で撮影できるようにした撮影装置に関するものである。
【背景技術】
【０００２】
従来のインターネットにおけるショッピングサイトでは、販売される商品の画像を掲載しておき、ユーザーにその商品を選択させることによってその商品を販売できるようなシステムになっている。ところで、このような商品の画像をショッピングサイトに掲載する場合、その商品が立体的なものである場合は、種々の方向から商品を撮影して掲載することが好ましい。
【０００３】
このような種々の方向から商品を撮影する場合、一般的には、背景が映らないような場所に商品を設置し、正面画像などのような代表的な画像を撮影するとともに、その商品の角度を変えて撮影する場合は、商品を置き変えて異なる方向から側面や背面の画像などを撮影するようにしている。
【０００４】
しかしながら、このような方法では、サイト上に多くの商品を掲載する場合、各商品ごとに角度変えて撮影しなければならず、その作業に時間がかかってしまう。
【０００５】
このため、従来では、回転台の上に商品を載置して、その回転台を回転させながら商品を撮影する方法も提案されている。（特許文献１、特許文献２など）
【先行技術文献】
【特許文献】
【０００６】
【特許文献１】特開２０００−９０２３３号公報（図６など）
【特許文献２】特表２００３−５０２９５６号公報（図２など）
【発明の概要】
【発明が解決しようとする課題】
【０００７】
しかしながら、このような回転台に載置して商品の画像を撮影する場合においても、次のような問題を生じる。
【０００８】
すなわち、商品の画像を撮影する場合、可能な限り影や背景などを消すようにするのが好ましいが、商品を回転させる場合は、その商品の形状によっては、床面に影が映ってしまう。このため、影の位置が変わるたびに、影が映らないように照明の位置を変えなければならず、照明の位置を変更するのに時間がかかってしまう。
【０００９】
また、このような影をなくすために、回転台の中心方向に向かって種々の方向から光を照射させることも考えられるが、このように種々の方向から光を照射させたとしても、不連続に配置された照明からの光を照射させると、その光の延長方向上に薄い影が形成されてしまう。
【００１０】
そこで、本発明は、回転台を用いて商品を種々の方向から撮影できるようにした撮影装置において、可能な限り影や背景を消せるようにした撮影装置を提供することを目的とする。
【課題を解決するための手段】
【００１１】
すなわち、本発明は、上記課題を解決するために、被写体を載置した状態で回転させる回転台と、前記被写体を撮影するカメラに対して回転台の奥方に設けられる背面材とを備えてなり、当該背面材を前記カメラ側に向かうように湾曲させるようにしたものである。
【００１２】
このようにすれば、正面から照明やカメラのフラッシュなどを用いて撮影する場合、正面側からはその照明などによって光を照射することができるとともに、背面側からは、湾曲する背面材によって光を反射させて、可能な限り影を消すことができるようになる。しかも、その背面材によって背景の画像を消すこともできるようになる。
【００１３】
また、このような発明において、前記背面材を、光透過性を有する粗面材で構成する。
【００１４】
このようにすれば、背面材の後方から光を照射した場合、粗面材で構成された背面材によって光が均一に拡散され、その拡散された状態で商品側に光を透過させることによって商品の影を消すことができるようになる。
【００１５】
さらには、前記回転台を、光透過性を有する粗面材で構成することもできる。
【００１６】
このようにした場合は、粗面材の下側から照射する光によって回転台にできる影を消すことができるようになる。
【発明の効果】
【００１７】
本発明によれば、被写体を載置した状態で回転させる回転台と、前記被写体を撮影するカメラに対して回転台の中心から奥方に設けられる背面材とを備えてなり、当該背面材を前記カメラ側に向かうように湾曲させるようにしたので、正面から照明やカメラのフラッシュなどを用いて撮影する場合、正面側からはその照明などによって光を照射することができる。また、背面側からは、湾曲する背面材によって光を反射させて、可能な限り影を消すことができるようになる。しかも、その背面材によって背景の画像を消すこともできるようになる。
【図面の簡単な説明】
【００１８】
【図１】本発明の一実施の形態における撮影装置の概略図
【図２】同実施の形態における平面図
【図３】同実施の形態における光を照射させた状態を示す平面図
【図４】同実施の形態における底面から光を照射させた状態を示す正面図
【発明を実施するための最良の形態】
【００１９】
以下、本発明の一実施の形態について図面を参照して説明する。この実施の形態における撮影装置１は、図１に示すように、商品６を載置させた状態で回転させる回転台２と、その回転台２を回転可能に支持するベース３と、その回転台２における奥方で回転台２の中心方向に向かって湾曲する背面材４とを備えて構成される。以下、本実施の形態における撮影装置１の構成について詳細に説明する。
【００２０】
まず、回転台２は、中心部分に商品６を載置することが可能な円板状に構成されている。この回転台２は、光を全く透過させない不透明な素材によって形成することもできるが、この実施の形態では、白色系の半透明な板材として、例えば、紙材、プラスチック素材、ガラス素材などで構成し、さらには、その表面を粗面状態としておく。このように表面を粗面状態としておくと、表面側から光を照射させた場合に、その光を乱反射させることができ、商品６に影ができるのを防止することができる。また、この回転台２を半透明な素材で構成すると、回転台２の下側から光を照射させる場合、粗面によって光を均一に拡散させることができ、その拡散された光を透過させることによって、表面側にできる影を消すことができる。このような光を照射させる場合、図２や図４に示すように、回転台２の下側に小型の電球やＬＥＤなどの照明装置５を配置しておき、図示しない複数枚の拡散板などを用いて回転台２の下側から光を照射させる。なお、ここで回転台２の光の透過率としては、表面側から下方のベース３などを視認することができず、かつ、下方からの光を透過させるような透過率としておくことが望ましく、例えば、照明装置５から商品６側への全体としての光の透過率を１０％以下としておく。
【００２１】
この回転台２を回転可能に支持するベース３は、回転台２の中心部分を軸部材３１で支持するものであって、適宜、回転台２に商品６を載置した場合に回転台２が撓まないような手段を講じて構成される。このベース３としては、例えば、モーターなどによって回転台２を回転可能に支持することもできるが、コストが高くなる場合は、駆動手段を備えずに手動で回転させるようにすることもできる。ただし、手動で回転させる場合は、任意の角度で回転台２を固定して撮影させるようにしておく必要があるため、一定の切れ角をもって回転させるか、あるいは、図示しないストッパーなどを用いて所定の回転角で回転台２を固定できるようにしておく。
【００２２】
このベース３部材の後端側には、背面材４を保持するための保持部３２が設けられる。この保持部３２は、背面材４を回転台２の縁に沿って湾曲するように保持できるようにしたものであって、この実施の形態では、ベース３の後方を回転台２から延出させておき、そこに背面材４を湾曲させた状態で差し込めるようにした溝３３を設けて構成されている。なお、この実施の形態では溝３３によって保持部３２を構成しているが、このように溝３３を設けるのではなく、ベース３部材の一端側を回転台２から延出させておき、その外側に背面材４を湾曲させた状態で取り付けて、マグネットなどで固定できるようにすることもできる。
【００２３】
この保持部３２に保持される背面材４は、回転台２の中心側に向かって湾曲するように設けられるものであって、回転台２と同様に、白色系の半透明な紙材、プラスチック素材、ガラス素材などで構成され、かつ、その表面を粗面状態に構成されている。そして、回転台２の外側縁部に接触するように湾曲した状態で起立され、これによって回転台２の中心に置いた商品６を撮影する場合に、回転台２と背面材４との隙間や背景が映らないようにしている。なお、ここでは、回転台２の外側縁部に沿うように湾曲させているが、背面材４の曲率が回転台２よりも大きくなるように湾曲させておき、回転台２と背面材４との隙間を他の半透明の素材で埋めるようにしてもよい。
【００２４】
次に、このように構成された撮影装置１の使用方法について説明する。
【００２５】
まず、サイトに掲載される商品６を回転台２の中心部に載置するとともに、その前方にカメラ７を設置する。また、回転台２の下方に設けられた電球やＬＥＤなどの照明装置５を点灯させるとともに、背面材４の後方にも電球やＬＥＤ、蛍光灯などの照明装置５を点灯させる。すると、図３に示すように、これらの照明装置５から照射された光は、回転台２や背面材４を透過し、拡散された状態で商品６側へと拡散した状態で透過する。このとき、背面材４を透過した拡散光は、湾曲した背面材４側から商品６側へと向かい、例えば、カメラ７側から照射されたフラッシュなどによって生じた商品６の裏側領域Ｓ１の影を消すことができる。また、商品６の背面材４からの光によって商品６の前方側の領域Ｓ２にできた影については、カメラ７のフラッシュなどによって消すことができる。一方、回転台２の下方側から上方へ向けて照射した光については、図４に示すように、回転台２によって拡散され、これによって回転台２上に生じた影を消すことができるようになる。このとき、背面材４を設けるようにしているため、カメラ７で商品６を撮影した場合に、背景が映るようなことがなくなる。
【００２６】
このように上記実施の形態によれば、被写体を載置した状態で回転させる回転台２と、前記被写体を撮影するカメラ７に対して回転台２の中心から奥方に設けられる背面材４とを備えてなり、当該背面材４を前記カメラ７側に向かうように湾曲させるようにしたので、正面から照明やカメラ７のフラッシュなどを用いて撮影する場合、正面側からはその照明などによって光を照射することができるとともに、背面側からは、湾曲する背面材４によって光を反射させて、可能な限り影を消すことができるようになる。しかも、その背面材４によって背景の画像を消すこともできるようになる。
【００２７】
また、背面材４を、光透過性を有する粗面材で構成すれば、背面材４の後方から光を照射した場合、粗面材で構成された背面材４によって光が均一に拡散され、その拡散された状態で商品６側に光を透過させることによって商品６の影を消すことができるようになる。
【００２８】
さらには、回転台２についても、光透過性を有する粗面材で構成すれば回転台２にできる影を粗面材の下側から照射する光で消すことができるようになる。
【００２９】
なお、本発明は上記実施の形態に限定されることなく、種々の態様で実施することができる。
【００３０】
例えば、上記実施の形態では、回転台２を半透明の素材で構成するようにしたが、不透明な存在で構成することもできる。
【００３１】
また、上記実施の形態では、背面材４をベース３に保持させるようにしたが、背面材４については、ベース３に保持させることなく、独自に湾曲させた状態で起立させるようにしてもよい。
【００３２】
さらには、上記実施の形態では、背面材４として、円筒状の部材を縦に切断したような形状で構成したが、その上端部分については、商品６側へと湾曲させるような部分を設けるようにしてもよい。このようにすれば、商品６の上部側へも拡散させた光を照射させることができるため、より商品６の影を消すことができるようになる。
加えて、上記実施の形態では、背面材４として白色系の半透明拡散板を用いたが、商品の色が白系である場合は、回転台２や背面材４を取り外し、黒色系の回転台２や背面材４に付け替えるようにすることもできる。このとき、回転台２や背面材４が黒色系である場合は、影ができたとしてもその回転台２や背面材４によって吸収することができるため、必ずしも半透明の拡散板を用いる必要はない。なお、ここで回転台２を付け替える場合、軸部材３１から回転台２を取り外すのが面倒な場合は、回転台２の上に、背面材４と同色系のカバーを載置するようにしてもよい。
【符号の説明】
【００３３】
１・・・撮影装置
２・・・回転台
３・・・ベース
３１・・・軸部材
３２・・・保持部
３３・・・溝
４・・・背面材
５・・・照明装置
６・・・商品
７・・・カメラ